(57)【要約】  【課題】  小型化が進んだ撮像装置で、操作し易い場所で必要な操作スイッチを配置する為の構成及びその構造。  【解決手段】  撮像装置に配置したアクセサリーシューの保護カバーに操作スイッチを配置する。【選択図】  図１
2012123079.tif 000002
【特許請求の範囲】
【請求項１】
撮像装置に配置したアクセサリーシューの保護カバーで、前記アクセサリーシュー保護カバーに操作スイッチを配置した事を特徴とする撮像装置。
【請求項２】
アクセサリーシュー保護カバーは前記アクセサリーシュー位置から第２の位置へ移動可能であり、前記移動位置にて前記アクセサリーシュー保護カバーに配置した操作スイッチが使用出来る事を特徴とする請求項１に記載の撮像装置。
【請求項３】
アクセサリーシュー保護カバーに配置した操作スイッチはアクセサリーシューに取り付くアクセサリー用品の操作スイッチとして使用する事を特徴とする請求項１又は請求項２に記載の撮像装置。
【請求項４】
アクセサリーシュー保護カバーに配置した操作スイッチは撮像装置本体で使用する操作スイッチにも選択的に設定し使用する事が出来る事を特徴とする請求項１乃至請求項３の何れか１項に記載の撮像装置。
【請求項５】
設定する操作スイッチの情報を本体表示装置に表示し、その表示情報を元に操作スイッチを選択的に設定する事が出来る事を特徴とする請求項４に記載の撮像装置。
【請求項６】
撮像装置に配置したアクセサリーシュー及びアクセサリーシュー保護カバーの配置位置は、本体前方をレンズ部とした際に、前記アクセサリーシュー及びアクセサリーシュー保護カバーは本体後方端上面に配置した事を特徴とする請求項１乃至請求項５の何れか１項に記載の撮像装置。
【発明の詳細な説明】
【技術分野】
【０００１】
本発明は撮像装置に配置した操作スイッチに関するものである。
【背景技術】
【０００２】
従来、撮像装置にアクセサリー用品を取り付ける為のアクセサリーシューの金具が撮像装置本体上面に配置され、前記アクセサリーシュー金具内に構成されている電気接点の保護と同時にファインダー視度調整レバーの保護を目的とした保護カバーが構成されていた。
【０００３】
同様にアクセサリーシューの保護を目的とした図８の従来例では、撮像装置に配置したアクセサリーシューの金具全体を覆う事が出来るアクセサリーシュー保護カバーが、アクセサリーシュー金具位置から外れ撮像装置本体から離れた位置に移動する事でアクセサリー用品を取り付ける事が出来る構成である。
【０００４】
１８１は撮像装置本体、１８２はアクセサリー用品を取り付けるアクセサリーシュー金具、１８３は１８２アクセサリーシュー金具全体を覆う事が出来るアクセサリーシュー保護カバーで、１８４のアクセサリーシュー保護カバーと撮像装置本体を接続する保護カバー取り付け腕を介し、アクセサリー用品を１８２アクセサリーシュー金具に取り付ける事が出来る様に離れた位置に待機する。
【０００５】
又、従来の撮像装置では筐体左右縁部の凹部に開閉可能で筐体左右縁部より左右方向で突出する蓋を設け、指を当てて本体を保持し、前記蓋に操作ボタンを配置構成したものがある。
【０００６】
しかし従来例である特許文献１では、アクセサリーシューの保護カバーを外した際には使用目的が無くなり、アクセサリー用品を取り付けている間は有効に使用する事が出来無いものである。同様に図８の従来例もアクセサリーシューの保護カバーを外した際には、撮像装置本体から離れた位置で保持され、他に使用される事は無いものであった。
【０００７】
又、従来例である特許文献２では、本体左右の配置した蓋を開状態にする事で保持し易い形態の提供であり、撮像装置本体上面に配置されるアクセサリーシュー金具近傍の保護を目的とした物ではない。
【先行技術文献】
【特許文献】
【０００８】
【特許文献１】特開平９−１５７２４号公報
【特許文献２】特開２００６−１８０５９号公報
【発明の概要】
【発明が解決しようとする課題】
【０００９】
本発明に係る発明の目的は、アクセサリーシューの保護カバーに操作スイッチを設ける事で、アクセサリーシューの金具及び接点の保護と、操作し易い場所であるアクセサリーシュー近傍に新たな操作スイッチを提供する事を目的とする。
【課題を解決するための手段】
【００１０】
本発明の請求項１の構成である撮像装置に配置したアクセサリーシューの保護カバーは、前記アクセサリーシュー保護カバーに操作スイッチを配置した事を特徴としている。
【００１１】
本発明の請求項２の撮像装置では、請求項１の構成でアクセサリーシュー位置に装着したアクセサリーシュー保護カバーは第２の位置へ移動可能であり、前記移動位置にて前記アクセサリーシュー保護カバーに配置した操作スイッチが使用出来る事を特徴としている。
【００１２】
本発明の請求項３の撮像装置では、請求項１及び２の構成において、アクセサリーシュー保護カバーに配置した操作スイッチはアクセサリーシューに取り付くアクセサリー用品の操作スイッチとして使用する事を特徴としている。
【００１３】
本発明の請求項４の撮像装置では、請求項１から３の構成において、アクセサリーシュー保護カバーに配置した操作スイッチは撮像装置本体で使用する操作スイッチにも選択的に設定し使用する事が出来る事を特徴としている。
【００１４】
本発明の請求項５の撮像装置では、請求項４の構成において、設定する操作スイッチの情報を本体表示装置に表示し、その表示情報を元に操作スイッチを選択的に設定する事が出来る事を特徴としている。
【００１５】
本発明の請求項６の撮像装置では、撮像装置に配置したアクセサリーシュー及びアクセサリーシュー保護カバーの配置位置は、本体前方をレンズ部とした際に、前記アクセサリーシュー及びアクセサリーシュー保護カバーは本体後方端上面に配置した事を特徴とする請求項１から５に係わる撮像装置としている。
【発明の効果】
【００１６】
以上説明したように、本発明によれば、撮像装置に配置したアクセサリーシューの保護カバーに操作スイッチを配置する事で、撮像装置本体の操作スイッチとして使用する事が出来、又アクセサリーシューに取り付くアクセサリー用品の操作スイッチとしても使用出来る事で、小型化された撮像装置で操作し易い場所に操作スイッチを配置する事が出来るものである。
【図面の簡単な説明】
【００１７】
【図１】本発明の実施例の使用状態解説図
【図２】本発明の実施例の構造解説図
【図３】本発明の実施例のビデオライトの外観解説図
【図４】本発明の実施例のアクセサリーシュー保護カバー閉じ状態解説図
【図５】本発明の実施例のアクセサリーシュー保護カバー引き出し状態解説図
【図６】本発明の実施例のアクセサリーシュー保護カバー操作スイッチ使用位置での解説図
【図７】本発明の実施例の操作スイッチの選択設定の解説図
【図８】従来例の構成解説図
【発明を実施するための形態】
【００１８】
本発明の実施例を図１〜図６を用いて説明する本実施例は、請求項１から６を含むものである。
【００１９】
図１はアクセサリー用品を搭載した状態での撮像装置使用状態の解説図であり、１０１は撮像装置本体、１０２は表示装置ユニット、１０３は表示装置の表示画面、１０４はアクセサリー用品の一つであるビデオライト、１０５はアクセサリーシュー保護カバーユニット、１０６ａ及び１０６ｂ及び１０６ｃは１０５アクセサリーシュー保護カバーユニットに配置した操作スイッチである。
【００２０】
１０４のアクセサリー用品はビデオライト以外でも搭載可能で、例えば集音マイクやストロボ、無線や有線及び赤外線を含む外部リモートコントロール操作アダプターなど、撮影に必要な機器や再生に必要な機器がアクセサリーシューに配置した接点を介し本体と通信する事で、機器の機能をコントロールし使用する事が出来る。
【００２１】
１０６ａ及び１０６ｂ及び１０６ｃは１０５アクセサリーシュー保護カバーユニットに配置した操作スイッチは、撮像装置又はアクセサリー用品が求める操作スイッチの個数とその作動方式は特に限定する物ではなく機器の状況に応じて構成する事が出来る。
【００２２】
請求項３の構成ではアクセサリー用品の操作スイッチとして使用する事となり、図示しているビデオライトとした場合、一例として１０６ａはビデオライトのオン及びオフの操作スイッチ、１０６ｂはビデオライトの輝度変更用の操作スイッチ、１０６ｃはビデオライトの照射角度を変更する操作スイッチなどとする事が出来るが、当然他のアクセサリー用品の場合はその機能役割は変わるものである。その操作スイッチの役割は撮像装置自体で既に決まっていても良く、アクセサリー用品を識別して割り当ての変更を自動で行う事が可能で、更に撮像装置本体で機能を選択的に割り当てる事も可能で、その際は１０２表示装置ユニットに配置している１０３表示画面に機能と操作スイッチを表示し機能を割り当てる事が出来る。
【００２３】
この様にアクセサリー保護カバーに配置した操作スイッチはアクセサリー用品の操作スイッチとして使用する事によって、複数のアクセサリー用品が同じ操作位置で操作可能になり、アクセサリー用品に操作スイッチの必要が無くなる事で撮影者はアクセサリー用品の種類に関係なく操作性の良い位置での操作が可能になる。
【００２４】
請求項４の構成では撮像装置本体で使用する操作スイッチにも選択的に設定する事も可能で、アクセサリー用品が搭載していない場合にはアクセサリー保護カバーに配置した操作スイッチ全てを撮像装置本体の操作スイッチとして使用する事が可能である。又、請求項３と組み合わせたアクセサリー用品の操作スイッチとしての機能と撮像装置本体の操作スイッチとしての機能を合わせて使用することも可能でその組み合わせは自由に行うことが出来る。図７では表示装置ユニットにおいて表示画面上でアクセサリーシュー保護カバーの操作スイッチの選択を行う画面表示の一例であり、１７１はアクセサリーシュー保護カバーの操作スイッチの画面表示、１７２は画面表示上で指示箇所の位置の移動と確定操作を行う全方向移動操作スイッチ、１７３はアクセサリー用品及び撮像装置本体及びその両方などの操作スイッチ設定の名称表示、１７４ａと１７５ａと１７６ａはアクセサリーシュー保護カバーの各操作スイッチ画面表示箇所、１７４ｂと１７５ｂと１７６ｂは１７４ａと１７５ａと１７６ａの各操作スイッチ画面表示箇所と一致した操作スイッチ役割設定の各指標表示、１７４ｃと１７５ｃと１７６ｃは１７４ｂと１７５ｂと１７６ｂの各操作スイッチの指標表示に対し機能設定表示を行う。１７３操作スイッチ設定の名称表示には、例えば「本体撮影操作」とした場合１７４ｃの機能設定表示には例えば「動画記録−静止画記録」と表示設定をした場合には１７４ａ操作スイッチが動画撮影及び静止画撮影の記録選択が可能となり、アクセサリーシュー保護カバー内の同位置の操作スイッチが連動する。同様に１７５ｃの機能設定表示には例えば「カメラオート／プログラム」と表示設定をした場合には１７５ａ操作スイッチがカメラＡＥ設定がオート（自動）及びプログラム（設定済みＡＥ）の選択が可能となり、アクセサリーシュー保護カバー内の同位置の操作スイッチが連動する。同様に１７６ｃの機能設定表示には例えば「フェード」と表示設定をした場合には１７６ａ操作スイッチが撮影記録中のフェード（記録中の画像及び音声を一定時間内でゆっくり消す）機能を可能とし、アクセサリーシュー保護カバー内の同位置の操作スイッチが連動する。１７３操作スイッチ設定の名称表示には、前記一例以外では「アクセサリー操作」、「本体撮影操作／アクセサリー操作」、「本体再生操作」などがあり撮影形態又はアクセサリー用品の種類に応じて選択出来るものである。
【００２５】
この様にアクセサリーシューの保護カバーに操作スイッチを設ける事で、アクセサリーシューに取り付くアクセサリー用品の操作スイッチとして使用出来ると共に、撮像装置本体の操作スイッチとしても使用出来、アクセサリーシューの金具及び接点の保護と、操作し易い場所であるアクセサリーシュー近傍に新たな操作スイッチを提供する事が可能になった。
【００２６】
図２は本発明のアクセサリーシュー周辺とアクセサリーシュー保護カバーの構成解説図であり、１１１はアクセサリーシュー金具、１１２はアクセサリー用品と撮像装置本体を電気的に接続する接点端子、１１３は１１２接点端子を保持する接点端子ホルダー、１１４は１１２接点端子と撮像装置本体側の回路と結ぶＦＰＣ（フレキシブルプリント基板）、１１５は１１４ＦＰＣを固定する取り付けホルダー、１１６は１１１アクセサリーシュー金具と１１３接点端子ホルダーの台座となり筐体と一体化している本体後方筐体、１１７は１１１アクセサリーシュー金具と１１３接点端子ホルダーと１１６本体後方筐体が１１５取り付けホルダーに対し密着固定する為の固定ビス、１１８は撮像装置本体と１０５アクセサリーショー保護カバーユニットをスライド移動し保持する為のガイドホルダー、１１９は１１８ガイドホルダーと１０５アクセサリーショー保護カバーユニットを回転可能に接続する回転保持軸、１２０は１０５アクセサリーショー保護カバーユニットに構成している１０６ａ及び１０６ｂ及び１０６ｃの各操作スイッチと撮像装置本体の電気的接続を行う操作スイッチＦＰＣ（フレキシブルプリント基板）、１２１は１１８ガイドホルダーのスライド移動した際のクリック固定する為のクリック板バネである。
【００２７】
図３は図１で解説したアクセサリー用品の一例であるビデオライトの外観図であり、１３１はビデオライト本体、１３２は発光照射を行うランプ部、１３３はビデオライトを撮像装置の１１１アクセサリーシュー金具に接続する為のビデオライト固定台座、１３４はビデオライトと撮像装置の１１２接点端子と電気的接続する為のビデオライト接点端子部、１３５は１３３ビデオライト固定台座を１１１アクセサリーシュー金具に締め付け固定を行う為の締め付け固定リングである。
【００２８】
図４〜図６は本発明の実施例の形態であるアクセサリーシュー保護カバーの開閉動作解説図であり、図４はアクセサリーシュー保護カバーが閉じ状態の解説図である。１４１は撮像装置本体、１４２は閉じ状態のアクセサリーシュー保護カバー位置、１４３は１１８ガイドホルダーの閉じ状態の位置で１２１クリック板バネがこの閉じ状態をクリック保持している。
【００２９】
図５はアクセサリーシュー保護カバーを引き出した状態での解説図である。１５１は１５３方向に引き出した状態のアクセサリーシュー保護カバー位置、１５２は１１９回転保持軸を介して１５３方向に連動して１１８ガイドホルダーの引き出した状態での位置で１２１クリック板バネがこの引き出し状態をクリック保持している。
【００３０】
図６はアクセサリーシュー保護カバーを引き出した状態から回転させ操作スイッチを使用出来る位置に移動した状態の解説図である。１６１は開状態のアクセサリーシュー保護カバー位置、１６２は回転保持軸、１６３は１６２回転保持軸を回転可能に支えるガイドホルダーで１５１の位置から１６２回転保持軸によって１６４の回転方向に回転し１６１の開状態のアクセサリーシュー保護カバー位置に回転移動する。
【００３１】
この機構構成によってアクセサリーシュー保護カバーが開状態であってもアクセサリー用品を撮像装置本体に着脱可能になり、アクセサリー用品が装着状態であってもアクセサリーシュー保護カバーに配置した操作スイッチの操作が可能になる。
【符号の説明】
【００３２】
１０１‥‥撮像装置本体
１０２‥‥表示装置ユニット
１０３‥‥表示画面
１０４‥‥ビデオライト
１０５‥‥アクセサリーシュー保護カバーユニット
１０６ａ、１０６ｂ、１０６ｃ‥‥操作スイッチ
１１１‥‥アクセサリーシュー金具
１１２‥‥接点端子
１１３‥‥接点端子ホルダー
１１４‥‥ＦＰＣ（フレキシブルプリント基板）
１１５‥‥取り付けホルダー
１１６‥‥本体後方筐体
１１７‥‥固定ビス
１１８‥‥ガイドホルダー
１１９‥‥回転保持軸
１２０‥‥操作スイッチＦＰＣ（フレキシブルプリント基板）
１２１‥‥クリック板バネ
１３１‥‥ビデオライト本体
１３２‥‥ランプ部
１３３‥‥ビデオライト固定台座
１３４‥‥ビデオライト接点端子部
１３５‥‥締め付け固定リング
１４１‥‥撮像装置本体
１４２‥‥閉じ状態のアクセサリーシュー保護カバー位置
１４３‥‥ガイドホルダー閉じ位置
１５１‥‥引き出した状態のアクセサリーシュー保護カバー位置
１５２‥‥ガイドホルダー引き出し位置
１５３‥‥方向指示線
１６１‥‥開状態のアクセサリーシュー保護カバー位置
１６２‥‥回転保持軸
１６３‥‥ガイドホルダー
１６４‥‥回転方向指示線
１７１‥‥アクセサリーシュー保護カバー操作スイッチの画面表示
１７２‥‥全方向移動操作スイッチ
１７３‥‥操作スイッチ設定の名称表示
１７４ａ、１７５ａ、１７６ａ‥‥操作スイッチ画面表示箇所
１７４ｂ、１７５ｂ、１７６ｂ‥‥操作スイッチ役割設定の各指標表示
１７４ｃ、１７５ｃ、１７６ｃ‥‥機能設定表示
１８１‥‥撮像装置本体
１８２‥‥アクセサリーシュー金具
１８３‥‥アクセサリーシュー保護カバー
１８４‥‥アクセサリーシュー保護カバー取り付け腕
【図１】
2012123079.tif 000003
【図２】
2012123079.tif 000004
【図３】
2012123079.tif 000005
【図４】
2012123079.tif 000006
【図５】
2012123079.tif 000007
【図６】
2012123079.tif 000008
【図７】
2012123079.tif 000009
【図８】
2012123079.tif 000010